(57)【要約】  【課題】接客員を必要とせず、個々の利用者に応じた最適な飲食物を素早く効率的に注文できる飲食物注文システムと、さらに、当該システムを具備し、カラオケルームサービスに好適に対応できるカラオケシステムの提供。  【解決手段】利用者ＩＤ識別手段により利用者を特定し、利用者ＩＤ毎に、設定項目記録部に当該利用者が選択した設定項目がある場合、その設定項目に対応した専用メニューアイテムを識別可能に優先的に表示する共に利用者ＩＤを紐付けして当該表示されたメニューアイテムを注文可能とするシステムの構築と、これを具備してなるカラオケシステムを構築した。【選択図】図２
2006154270.tif 000002
【特許請求の範囲】
【請求項１】
利用者を特定するための利用者ＩＤ識別手段と、利用者ＩＤ毎に当該利用者が選択した所定の設定項目を記録している設定項目記録部と、所定の飲食物のメニューアイテムを表示すると共に利用者ＩＤを紐付けして当該表示されたメニューアイテムを注文可能とするメニュー表示注文手段と、所定の設定項目に対応した専用メニューアイテムが記録された専用メニューアイテム記録部と、これらの手段を統括的に制御するための中央制御手段を具備した、飲食物を注文するためのシステムであって、
前記メニュー表示注文手段が、利用者ＩＤ毎に、前記設定項目記録部に当該利用者が選択した設定項目がある場合、その設定項目に対応した専用メニューアイテムを識別可能に優先的に表示する共に利用者ＩＤを紐付けして当該表示されたメニューアイテムを注文可能としてなる飲食物注文システム。
【請求項２】
請求項１記載の飲食物注文システムを具備してなるカラオケシステム。
【請求項３】
前記メニュー表示注文手段が、カラオケ演奏装置が付帯するリモコン装置内に組み込まれてなる請求項２記載のカラオケシステム。
【発明の詳細な説明】
【技術分野】
【０００１】
本発明は、接客員を必要とせず、個々の利用者毎に応じた最適な飲食物を効率良く注文できるシステムと、さらに、当該システムを具備し、カラオケルームサービスに好適に対応できるカラオケシステムに関する。
【背景技術】
【０００２】
従来、全国的に普及しているファミリーレストランなどでも、利用者が所望する飲食物のメニューアイテムをメニュー表から選択し、直接、接客員に対して口頭にて注文しているのが一般的である。ただし、接客員を必要とせず、効率良く注文ができるシステムも、現在まで多々想到されている。例えば、特許文献１では、メニュー端末装置上の表示画面に飲食物の種類と個数の指定を入力する注文入力手段を備えた注文システムが開示されている。あるいは、特許文献２では、テーブル毎に設けられ、飲食物の内容および単価を表示し、飲食物とその数量を入力可能な電子メニューを備えた飲食物提供システムが開示されている。
【０００３】
また、近年、多数のカラオケルームを設置した通称「カラオケボックス」と呼ばれる店舗が多く見られるようになり、最近のカラオケルームでは、カラオケ演奏だけでなく飲食物のルームサービスも行われている。従来では、このような飲食物のルームサービスに関する技術も多々想到されており、例えば、特許文献３では、カラオケルームからの飲食物のルームサービスの注文を確実に管理し、また、精算時の正確性が確保でき、さらに、時刻や季節に応じてメニューの変更ができて、システム全体の拡張や変更を容易にする技術が開示されている。あるいは、特許文献４では、カラオケ利用者がディスプレイに表示される飲食物の画像を見ながら操作を行い、所望の飲食物を選択して発注し、その発注された飲食物の注文データを印刷した注文券を発行する技術が開示されている。
【０００４】
【特許文献１】特開２００２−１３３５３２号公報
【特許文献２】特開２００２−３４２８４７号公報
【特許文献３】特開平１０−２９３７９５号公報
【特許文献４】特開平１１−６６１５５号公報
【発明の開示】
【発明が解決しようとする課題】
【０００５】
しかしながら、従来では、当然のことながら、老若男女を問わず不特定多数の利用者に対して、店舗が提供できる全てのメニューアイテムを表示したり、特に店舗が推奨する「おすすめ」メニューアイテムを表示したりするものであって、個々の利用者の設定項目に応じた専用メニューアイテムを特定し、これらを識別可能に優先的に表示して、個々の利用者に応じた最適な飲食物を素早く効率的に注文できるようなシステムは存在していなかった。
【０００６】
そこで、本発明は、接客員を必要とせず、個々の利用者に応じた最適な飲食物を素早く効率的に注文できる飲食物注文システムと、さらに、当該システムを具備し、カラオケルームサービスに好適に対応できるカラオケシステムの提供を課題とする。
【課題を解決するための手段】
【０００７】
上記課題を鑑み、本発明者らは、利用者ＩＤ識別手段により利用者を特定し、利用者ＩＤ毎に、設定項目記録部に当該利用者が選択した設定項目がある場合、その設定項目に対応した専用メニューアイテムを識別可能に優先的に表示する共に利用者ＩＤを紐付けして当該表示されたメニューアイテムを注文可能とするシステムの構築と、これを具備してなるカラオケシステム、好ましくは、カラオケ演奏装置が付帯するリモコン装置内にメニュー表示注文手段を組み込んだカラオケシステムを提供することで、上記課題を解決できることを見出し、本発明の飲食物注文システムおよびこれを具備したカラオケシステムを想到した。
【０００８】
すなわち、本発明の請求項１記載の飲食物注文システムは、利用者を特定するための利用者ＩＤ識別手段と、利用者ＩＤ毎に当該利用者が選択した所定の設定項目を記録している設定項目記録部と、所定の飲食物のメニューアイテムを表示すると共に利用者ＩＤを紐付けして当該表示されたメニューアイテムを注文可能とするメニュー表示注文手段と、所定の設定項目に対応した専用メニューアイテムが記録された専用メニューアイテム記録部と、これらの手段を統括的に制御するための中央制御手段を具備した、飲食物を注文するためのシステムであって、
前記メニュー表示注文手段が、利用者ＩＤ毎に、前記設定項目記録部に当該利用者が選択した設定項目がある場合、その設定項目に対応した専用メニューアイテムを識別可能に優先的に表示する共に利用者ＩＤを紐付けして当該表示されたメニューアイテムを注文可能としてなることを特徴とする。
【０００９】
さらに、本発明の請求項２記載のカラオケシステムは、請求項１記載の飲食物注文システムを具備してなることを特徴とする。
【００１０】
そして、本発明の請求項３記載のカラオケシステムは、請求項２記載のカラオケシステムにおいて、メニュー表示注文手段が、カラオケ演奏装置が付帯するリモコン装置内に組み込まれてなることを特徴とする。
【発明の効果】
【００１１】
本発明の請求項１記載の飲食物注文システムによれば、利用者ＩＤ識別手段により利用者を特定し、利用者ＩＤ毎に、設定項目記録部に当該利用者が選択した設定項目がある場合、その設定項目に対応した専用メニューアイテムを識別可能に優先的に表示する共に利用者ＩＤを紐付けして当該表示されたメニューアイテムを注文できるようにしたことから、接客員を必要とせず、個々の利用者に応じた最適な飲食物を素早く効率的に注文できるといった効果を奏する。
【００１２】
また、本発明の請求項２記載のカラオケシステムによれば、上記飲食物注文システムを具備しているため、カラオケを楽しみながら、利用者に応じた最適な飲食物を素早く効率的に注文でき、カラオケルームサービスに好適に対応できるといった効果を奏する。
【００１３】
そして、本発明の請求項３記載のカラオケシステムによれば、請求項２記載のカラオケシステムにおいて、メニュー表示注文手段が、カラオケ演奏装置が付帯するリモコン装置に組み込まれているため、利用者はカラオケ歌唱を阻害することなく、当該リモコン装置を手元に置いて飲食物を素早く効率的に注文できるといった効果を奏する。
【発明を実施するための最良の形態】
【００１４】
以下、本発明の飲食物注文システムおよびこれを具備したカラオケシステムにつき、好適な実施例を挙げて説明するが、先ず、図１に示す、本発明の飲食物注文システムおよびこれを具備したカラオケシステムの全体構成図と、図２に示す、カラオケ演奏装置のブロック構成図と、図３に示す、カラオケホスト装置のブロック構成図に基づき詳述する。
【実施例１】
【００１５】
図１に示すように、本実施例のカラオケシステム（１）は、主に、カラオケボックスの店舗内に設置された複数のカラオケルーム（Ｋ，Ｋ…）のそれぞれに備えられたカラオケ演奏装置（２，２…）と、これらと店舗内ＬＡＮ上のルータから、ＡＤＳＬやＩＳＤＮといった通信回線（Ｎ）を介してインターネット（Ｎｉ）におけるカラオケ事業者が管理するＶＰＮ（Virtual Private Network）にて接続された、通信カラオケシステム用のカラオケホスト装置（３）からなる。各カラオケ演奏装置（２）は、ネットワークインタフェイスを介して店舗ＬＡＮおよびＶＰＮに接続してカラオケホスト装置（３）と交信する。例えば、当該ホスト装置（３）から送付されたカラオケデータを受け取ってカラオケデータベースの内容を変更したり、カラオケ演奏装置（２）側にて収集される稼働ログなどの各種情報を当該ホスト装置（３）に送信したりする。一方、カラオケホスト装置（３）は、各カラオケ演奏装置（２）に向けて新譜楽曲についてのカラオケデータ、台本データ、目次情報などを適時に配信したりする。
【００１６】
具体的には、本実施例では、店舗内に１００ＢＡＳＥ−Ｔ規格のEthernet（登録商標）によるＬＡＮが敷設されており、このＬＡＮ上の各カラオケ演奏装置（２）はルータを介してインターネット（Ｎｉ）上のＶＰＮからカラオケホスト装置（３）に接続している。また、ＬＡＮ上のコンピュータ間の通信にもＴＣＰ／ＩＰが採用されており、ルータは、その内蔵するＤＨＣＰ（Dynamic Host Configuration Protocol）サーバ機能によって、ＬＡＮに接続されている各カラオケ演奏装置（２）にＩＰアドレスを割り当て、各演奏装置（２）のＭＡＣ（Media Access Control）アドレスとＩＰアドレスとを対応付けしたテーブルを作成して記憶している。
【００１７】
各カラオケ演奏装置（２）には、楽曲検索機能を備えたカラオケリモコン装置（Ｒ）が付帯されており、このリモコン装置（Ｒ）をもって、利用者は赤外線信号によりカラオケ演奏装置（２）に所望の演奏予約コマンドを送信する。本実施例のリモコン装置（Ｒ）はその内蔵２次電池に充電するための専用架台（Ｃ）を必要とするが、この専用架台（Ｃ）には、充電手段の他、利用者ＩＤを識別し、当該利用者のログインを識別するための利用者ＩＤ識別手段が付帯されている。本実施例の利用者ＩＤ識別手段は、非接触のＩＣモジュールを搭載したＩＤカードの読み取り／書き込み装置であり、カードＩＤに紐付けされた利用者ＩＤを特定するものである。ただし、本発明はこれに限らず、例えば、ＩＣモジュールを携帯電話に内蔵させたＩＣ機能付き携帯電話や、近距離無線通信手段であるブルートゥース（blue tooth）機構を有する携帯電話、あるいは、パスワードの入力装置や指紋や声紋などの生体識別機能に依る機構の利用者ＩＤ識別手段を利用しても構わない。
【００１８】
そして、本実施例のカラオケシステム（１）は、外部の管理装置にも接続されている。具体的には、各カラオケルーム（Ｋ）のカラオケ演奏装置（２）は、ルームサービスのメニューアイテムを受注するための、厨房に設置された厨房受注管理装置（４）にも店舗内ＬＡＮを介して接続されていると共に、さらに、この厨房受注管理装置（４）は、会計窓口にて、受注したメニューアイテムの会計処理を行うためのＰＯＳ管理装置（５）にも接続されている。
【００１９】
次に、図２に基づき、本実施例におけるカラオケ演奏装置（２）について説明する。カラオケ演奏装置（２）は、主に、本発明の飲食物注文システムを含め、カラオケシステム全体を統括的に制御する中央制御手段（１０）とこれに接続された各種機器にて構成されている。すなわち、この中央制御手段（１０）は、カラオケホスト装置との通信を制御するための通信制御手段（２２）、カラオケリモコン装置の利用者インタフェイスからの操作信号を制御するための操作制御手段（２３）などを制御すると共に、ハードディスク（１１）、ＲＡＭ（１２）、音源（１４）、ミキサ（１５）、サウンドシステム（１６）、ＰＣＭデコーダ（１７）、ＭＰＥＧデコーダ（１９）、合成回路（２０）、利用者ＩＤ認識手段であるＩＤカード読み取り／書き込み装置（１３）などが接続されている。
【００２０】
ここで、カラオケ演奏装置（２）の構成要素について少々詳述する。先ず、音源（１４）は、中央制御手段（１０）が実行するシーケンサ（２４）における楽曲シーケンサの処理によって入力された演奏データに応じて楽音信号を形成する。形成された楽音信号はミキサ（１５）に入力され、このミキサ（１５）は、音源（１４）が発生した複数の楽音信号やカラオケマイク（Ｍ）と、Ａ／Ｄコンバータ（１８）を介して入力された利用者の歌唱音声信号を適当なバランスでミキシングする。ミキシングされたデジタル音声信号はサウンドシステム（１６）に入力される。このサウンドシステム（１６）はパワーアンプを備え、入力されたデジタル信号をアナログ信号に変換して増幅し、スピーカ（Ｓ）から楽音と歌唱音声を放音する。
【００２１】
ハードディスク（１１）に記録されている映像データ（２７）は、ＭＰＥＧ形式にエンコードされており、中央制御手段（１０）が実行する背景映像再生手段（図示省略）により再生処理を行い、これを読み出してＭＰＥＧデコーダ（１９）に入力する。このＭＰＥＧデコーダ（１９）は入力されたＭＰＥＧデータをＮＴＳＣの映像信号に変換して合成回路（２０）に入力し、この合成回路（２０）はこの背景映像の映像信号上に歌詞テロップや採点表示などのＯＳＤを合成し、合成された映像信号は表示手段（Ｄ）に表示される。
【００２２】
シーケンサ（２４）は楽曲コードで識別される演奏データをハードディスク（１１）に記録されている楽曲コード（２５）に紐付けされた演奏データ（２６）を読み出す。このシーケンサ（２４）は主に楽曲シーケンサおよび歌詞シーケンサからなっており、楽曲シーケンサは演奏データ中の演奏データトラック、ガイドメロディトラックなどのトラックデータを読み出し、このデータで音源（１４）を制御することでカラオケ楽曲の演奏を行い、一方、歌詞シーケンサは文字パターン作成手段を備えており、演奏データ中の歌詞トラックのデータを読み出し、このデータに基づいて歌詞テロップの画像パターンを作成して、これを合成回路（２０）に出力する。
【００２３】
そして、カラオケ演奏装置が付帯するリモコン装置（Ｒ）も多機能化が進み、実質的に携帯可能なハンドヘルド型あるいはパームトップ型のコンピュータと同等なハードウエアに、楽曲検索機能やデジタルカメラ機能やインターネットを介してデータ通信する機能などを備えた携帯型コンピュータに変貌し、ＬＡＮを通じて店舗内のコンピュータと通信したり、インターネットを介した通信を行ったりすることも使用形態の一部となっている。そして、本実施例では、このリモコン装置（Ｒ）にメニュー表示注文手段（２１）が組み込まれていると共に、所定の設定項目に対応した専用メニューアイテムを含んだ所定のメニューアイテムデータ（２９）が記録されている。
【００２４】
このメニューアイテムデータ（２９）は、先ず、ハードディスク（１１）内に予め設定され、その修正・変更・追加の際には、適宜、リモコン装置（Ｒ）内に転送される。このように構成することで、利用者はカラオケ歌唱を阻害することなく、リモコン装置（Ｒ）を手元に置いて飲食物を素早く効率的に注文できるのである。なお、本実施例ではメニューアイテムの記録部をリモコン装置内にも設けているが、本発明は、これに限定されず、これをハードディスク内のみに設け、必要時にハードディスクからダウンロードして表示するように構成しても、あるいは、外部装置からのダウンロードにより、リモコン装置内のみに設けても構わない。
【００２５】
以下、図６に示す、カラオケ演奏装置が付帯するリモコン装置の外観斜視図に基づき、このリモコン装置（Ｒ）について詳述する。図６の（イ）に示すように、その正面には液晶ディスプレイ（ＬＣＤ；Ｒａ）とタッチセンサ（Ｒｂ）とを積層したタッチパネルを主体とした利用者インタフェイスが備えられている。そして、内蔵するフラッシュメモリ（図示省略）にはカラオケ演奏装置に蓄積されているものと同様の目次情報の他、カラオケルームサービスに対応した上記専用メニューアイテムを含むメニューアイテムについての各種情報が蓄積されている。リモコン制御部（図示省略）にはＣＰＵやＲＡＭ、ＲＯＭ、ビデオＲＡＭなどが含まれ、組み込まれているメニュー表示注文手段は、そのＣＰＵによって制御され、所定の飲食物のメニューアイテムに関する画像情報や文字情報をビデオＲＡＭにビットマップ展開し、そのビットマップデータに基づき、ＬＣＤドライバを駆動してタッチパネルに適宜なメニューアイテムを表示する。
【００２６】
そして、利用者が所望するメニューアイテムは、タッチセンサ（Ｒｂ）への入力によって注文されるが、このリモコン装置（Ｒ）を前述した専用架台に装着されていれば、図６の（ロ）に示すように、その背面の下方所定部にはＬＡＮポート（Ｒｃ）が設けられており、ＬＡＮ接続ケーブルを介してカラオケ演奏装置に注文データが送信される。そして、このカラオケ演奏装置の中央制御手段は、厨房受注管理装置やカラオケホスト装置に、この注文データを転送するように制御する。なお、本実施例では、専用架台にＬＡＮ接続ケーブルを利用しているが、勿論、このような専用架台を利用せずに、リモコン装置（Ｒ）から無線ＬＡＮをもって、カラオケ演奏装置に注文データを直接、送信しても構わない。
【００２７】
利用者が所望するメニューアイテムをタッチセンサ（Ｒｂ）への入力によって注文する際、本発明では、メニューアイテムを注文した利用者ＩＤの識別が必要となる。図７は、利用者別ログイン・ログアウト指示のインタフェイス表示画面であり、カラオケリモコン装置の液晶ディスプレイとタッチセンサとを積層したタッチパネルの表示画面を示している。このタッチパネルが利用者別にログインとログアウトを指示するための利用者インタフェイスとなっており、この表示画面には、利用者別顔写真付きアイコン列（４０）やカラオケシステムへのログインをするための「ログイン」アイコン（４１）、ログアウトをするための「ログアウト」アイコン（４２）などが設けられている。
【００２８】
このリモコン装置を前述した専用架台に装着した状態で、先ず、「ログイン」アイコン（４１）を選択した後に、当該専用架台に付帯したＩＤカードの読み取り／書き込み装置（利用者ＩＤ識別手段）に自らのＩＤカードを装填することにより、これに紐付けされた利用者ＩＤが識別されると、同時にログインが識別される。ログインが識別されると、カラオケホスト装置に予め登録された利用者の顔写真、あるいは予め登録されていない場合、デジタルカメラ機能を使って撮影した利用者の顔写真を新たに登録して、順次、所定の利用者別顔写真付きアイコン（４０ａ）を利用者毎に掲載された利用者識別インタフェイスが作成される。
【００２９】
この利用者識別インタフェイスは、現在ではカラオケ楽曲の選曲を誰が行ったかを判断するために利用されているが、このインタフェイスは本発明でも適用でき、このインタフェイスを利用すれば、例えば、所望するメニューアイテムの注文の際、利用者は自らの顔写真付きアイコン（４０ａ）を選択すれば、その注文が当該利用者によるものであると判断される。具体的には、ルームサービスの専用画面を表出させ、利用者は、先ず、自らの顔写真付きアイコン（４０ａ）を選択入力した後にメニューアイテムを表示させ、表示されたメニューアイテムの中から所望するメニューアイテムを選択すれば、そのメニューアイテムを当該利用者が注文したものと判断される。
【００３０】
ここで、図２に戻り、本発明における設定項目記録部について説明する。本実施例の設定項目記録部（Ｆ１）は利用者ＩＤ記録部（２８）と、各利用者ＩＤに紐付けされた利用者別設定項目管理テーブル（Ｔ１）からなり、カラオケ演奏装置（２）のハードディスク（１１）内に設けられている。そして、任意の利用者が上記の手順に沿って、リモコン装置（Ｒ）に組み込まれたメニュー表示注文手段（２１）がルームサービスの専用画面を表出させ、利用者ＩＤが選択入力されると、中央制御手段（１０）は、その利用者ＩＤをもって、設定項目記録部（Ｆ１）に記録された当該利用者が選択した設定項目を参照し、所定の設定項目がある場合、メニュー表示注文手段（２１）に対し、これらを識別可能に優先的に表示する共に利用者ＩＤを紐付けして当該表示されたメニューアイテムを注文可能とするように制御する。
【００３１】
このように、本実施例では、この設定項目記録部（Ｆ１）を各カラオケ演奏装置（２）内に備えるだけで、各カラオケ演奏装置のみが、利用者の設定項目管理をするようなカラオケシステムを構成しているが、本発明では、カラオケホスト装置にて設定項目を集中管理し、このカラオケホスト装置に接続された如何なるカラオケ演奏装置からも設定項目を収集すると同時に、この設定項目に基づき、接続された如何なるカラオケ演奏装置にても同様なサービスを利用者が受けられるようにも構成してもよい。
【実施例２】
【００３２】
すなわち、図３に示すように、本実施例におけるカラオケホスト装置（３）は、カラオケ演奏装置と同様に、装置全体を統括的に制御する中央制御手段（３１）や、各種情報を記録するためのハードディスク（３２）などを具備し、各カラオケ演奏装置（２）から、適宜のタイミングにて、通信制御インタフェイス（３０）を介して、各種データが転送されてくる。ハードディスク（３２）には、カラオケ演奏装置（２）内に設けられた設定項目記録部（Ｆ１）と同様な設定項目記録部（Ｆ２）が設けられ、この記録部（Ｆ２）も利用者ＩＤ（２８）記録部と、各利用者ＩＤに紐付けされた利用者別設定項目管理テーブル（Ｔ２）からなる。
【００３３】
以下、図４に示す、利用者別設定項目管理テーブルの概念的構成図と、図５に示す、専用メニューアイテム例の概念的構成図と、図８に示す、利用者別メニューアイテム表示画面例図に基づき、本発明についてさらに詳述する。
【００３４】
図４に示す、利用者別設定項目管理テーブル（Ｔ）は、カラオケ演奏装置内に設けられた利用者別設定項目管理テーブル（Ｔ１）あるいは、カラオケホスト装置内に設けられた利用者別設定項目管理テーブル（Ｔ２）の概念的な構成を示すものである。このテーブル（Ｔ）は、利用者を特定するための「利用者ＩＤ」フィールド（ｆ１）と、各種の設定項目フィールド（ｆ２，ｆ３，ｆ４…）などからなる。例えば、ダイエットを支援するための「ダイエットメニュー」フィールド（ｆ２）や、高血圧症のための「高血圧メニュー」フィールド（ｆ３）や、糖尿病予防のための「糖尿病メニュー」フィールド（ｆ４）などの他、心臓病メニューや菜食主義者対応メニュー、あるいはアレルギー症メニュー（図示省略）などから主に構成されている。各利用者は、予め、所望する設定項目を選択することで、その設定項目にフラグが立ち、このテーブル（Ｔ）に記録される。なお、利用者が複数の設定項目を選択したり、設定項目を選択しないのは任意である。複数の設定項目を選択した場合には、専用メニューアイテムが続けて順次表示されるように構成される。
【００３５】
中央制御手段は、メニュー表示注文手段がルームサービスの専用画面を表出させ、利用者ＩＤが確認されると、先ず、設定項目記録部に当該利用者が選択した設定項目があるか否かを判断し、ない場合には、メニュー表示注文手段に対し、通常のメニュー表示をする共に利用者ＩＤを紐付けして当該表示されたメニューアイテムを注文可能とするように制御し、ある場合には、その設定項目に対応した専用メニューアイテムを識別可能に優先的に表示する共に利用者ＩＤを紐付けして当該表示されたメニューアイテムを注文可能とするように制御する。
【００３６】
本発明における専用メニューアイテムとは、所定の設定項目に最適に対応して作成した特別のメニューアイテムであって、図５に示すように、例えば、ダイエットを支援するための、低カロリー・高タンパクのメニューアイテムを提供する「ダイエットメニューリスト」（イ）や、高血圧症のための低塩分のメニューアイテムを提供する「高血圧メニューリスト」（ロ）や、糖尿病予防のための低脂肪・低カロリーのメニューアイテムを提供する「糖尿病メニューリスト」（ハ）などが専用メニューアイテムリストとして構成され、それぞれのリストに専用メニューアイテムＩＤが特定されている。
【００３７】
図８は、専用メニューアイテムが識別可能に優先的に表示されたカラオケリモコン装置のタッチパネルの表示画面で、全体のメニュー画面（図示省略；次頁以降）に先立って先頭から優先的に表示すると共に、利用者ＩＤ表記（５１）を付した「おすすめメニュー」という表題を設け、利用者毎の個人的なサービスを示して他のメニューと識別可能に構成している。この表示画面では、専用メニューアイテムについて、その名称（５２，５２…）や、その注文有無の選択アイコン（５３，５３…）が設けられ、利用者がメニューアイテムの「注文」アイコン（５４）にて入力することで、所望する飲食物を素早く効率的に注文できる。
【００３８】
なお、上記実施例では、本発明の飲食物注文システムは、カラオケシステムに具備された例を挙げているが、本発明はこれに限定されず、例えば、全国的に普及しているファミリーレストランなどでも、テーブル毎に利用者ＩＤ識別手段を設け、上記実施例におけるカラオケシステムを除いたシステムにて、同様な仕組みにより適応できるものである。また、上記実施例では、カラオケシステムにおいて、メニュー表示注文手段を、カラオケ演奏装置が付帯するリモコン装置内に組み込ませていたが、本発明はこれに限定されず、メニュー表示注文手段を、カラオケ演奏装置本体に組み込み、その付帯する表示装置をもってメニューアイテムを表示させ、注文可能に構成しても構わない。
【００３９】
以上、詳述したように、本発明の飲食物注文システムおよびこれを具備したカラオケシステムによれば、利用者ＩＤ識別手段により利用者を特定し、利用者ＩＤ毎に、設定項目記録部に当該利用者が選択した設定項目がある場合、その設定項目に対応した専用メニューアイテムを識別可能に優先的に表示する共に利用者ＩＤを紐付けして当該表示されたメニューアイテムを注文できるようにしたことから、接客員を必要とせず、個々の利用者に応じた最適な飲食物を素早く効率的に注文でき、また、このシステムを具備したカラオケシステムを利用すれば、カラオケを楽しみながら利用者に応じた最適な飲食物を素早く効率的に注文でき、カラオケルームサービスに好適に対応できる。
【図面の簡単な説明】
【００４０】
【図１】本発明の飲食物注文システムおよびこれを具備したカラオケシステムの全体構成図。
【図２】カラオケ演奏装置のブロック構成図。
【図３】カラオケホスト装置のブロック構成図。
【図４】利用者別設定項目管理テーブルの概念的構成図。
【図５】専用メニューアイテム例の概念的構成図。
【図６】カラオケ演奏装置が付帯するリモコン装置の外観斜視図。
【図７】利用者別ログイン・ログアウト指示のインタフェイス表示画面。
【図８】利用者別メニューアイテム表示画面例図。
【符号の説明】
【００４１】
１  カラオケシステム
２  カラオケ演奏装置
３  カラオケホスト装置
１０，３１  中央制御手段
１１，３２  ハードディスク
１３  利用者ＩＤ識別手段
２１  メニュー表示注文手段
２８  利用者ＩＤ
２９  メニューアイテムデータ
Ｆ１，Ｆ２  設定項目記録部
Ｔ，Ｔ１，Ｔ２  利用者別設定項目管理テーブル
Ｒ  カラオケリモコン装置
【図３】
2006154270.tif 000003
【図４】
2006154270.tif 000004
【図６】
2006154270.tif 000005
【図７】
2006154270.tif 000006
【図８】
2006154270.tif 000007
【図１】
2006154270.tif 000008
【図２】
2006154270.tif 000009
【図５】
2006154270.tif 000010